(57)【特許請求の範囲】
【請求項１】
周波数を掃引して受信可能な放送の周波数を検索するサーチ手段と、該サーチ手段で検出した受信バンドにおける受信可能な周波数の一覧を格納する受信可能チャンネルメモリと、該受信可能チャンネルメモリに格納された周波数の一覧を表示する表示手段と、プリセットされた受信周波数を格納するプリセットチャンネルメモリと、チャンネルキーを有する操作手段とを備え、
前記プリセットチャンネルメモリに格納する各受信周波数は、前記表示手段で表示した周波数の中から前記操作手段を介して選択された１つの周波数であり、該選択された１つの周波数を前記チャンネルキーによって指定された１つのチャンネル番号と対応付けして前記プリセットチャンネルメモリに格納することを特徴とするラジオ受信機。
【請求項２】
前記表示手段は、各チャンネルキーに関して、それが受信周波数をプリセット済みであるか、未プリセットであるかが区別される表示も行なうようになっていることを特徴とする請求項１記載のラジオ受信機。
【請求項３】
前記選択された１つの周波数が、プリセット済みの受信周波数である場合には、そのことを操作者に警告する警告手段、
備えることを特徴とする請求項１又は請求項２記載のラジオ受信機。
【請求項４】
前記表示手段は、当該受信バンドにおける受信可能な周波数の一覧を表示する場合に、プリセットチャンネルとしてプリセット済みの周波数とプリセットされていない周波数とを、識別可能に表示することを特徴とする請求項１乃至請求項３のいずれかに記載のラジオ受信機。
【請求項５】
前記表示手段は、当該受信バンドにおける受信可能な周波数の一覧を表示する場合に、各周波数と併せて各周波数における電界強度または電界強度の強弱を表すランクを表示することを特徴とする請求項１乃至請求項４のいずれかに記載のラジオ受信機。
【請求項６】
周波数を掃引して受信可能な放送の周波数を検索するサーチステップと、受信バンドにおいて検出した受信可能な周波数の全てを表示する表示ステップと、前記表示ステップで表示した周波数の中のいずれが選択されたかを判別する選択周波数判別ステップと、前記選択周波数判別ステップで判別された周波数をチャンネルキーと対応付けする対応付けステップと、前記対応付けステップで対応付けした周波数とチャンネルキーとをプリセットチャンネルメモリに格納するステップとからなり、
前記表示ステップで表示した周波数の中の１つの周波数と、前記チャンネルキーによって指定された１つのチャンネル番号とを対応付けし、一つのプリセットチャンネルとして前記プリセットチャンネルメモリに格納することを特徴とするラジオ受信機の受信チャンネル方法。
【請求項７】
前記表示ステップでは、各チャンネルキーに関して、それが受信周波数をプリセット済みであるか、未プリセットであるかが区別される表示も行なうようになっていることを特徴とする請求項６記載のラジオ受信機の受信チャンネル方法。
【請求項８】
前記表示ステップで表示した周波数の中から選択された１つの周波数が、プリセット済みの受信周波数である場合には、そのことを操作者に警告するステップ、
を備えることを特徴とする請求項６又は請求項７記載のラジオ受信機の受信チャンネル方法。
【請求項９】
前記表示ステップでは、当該受信バンドにおける受信可能な周波数の一覧を表示する場合に、プリセットチャンネルとしてプリセット済みの周波数を反転表示又は強調表示又は色違い表示にすることを特徴とする請求項６乃至請求項８のいずれかに記載のラジオ受信機の受信チャンネル方法。
【請求項１０】
前記表示ステップでは、当該受信バンドにおける受信可能な周波数の一覧を表示する場合に、各周波数における電界強度の順に表示することを特徴とする請求項６乃至９のいずれかに記載のラジオ受信機の受信チャンネル方法。
【発明の詳細な説明】
【０００１】
【発明の属する技術分野】
本発明は、受信可能な放送局を自動的に検索して、プリセットできるようにしたラジオ受信機に関する。
【０００２】
【従来の技術】
以下、従来の一般的なラジオ受信機について図と共に説明する。図５は従来のラジオ受信機の構成を例示するブロック図である。
図５に示すラジオ受信機３０において、ＦＭアンテナ１１が接続されたＦＭチューナ１３では、制御手段２１ｂから与えられたＦＭ選局信号により選局が行われ、ＡＭアンテナ１５が接続されたＡＭチューナ１７では制御手段２１ｂから与えられたＡＭ選局信号により選局が行われる。受信バンド切替手段１９は制御手段２１ｂから送出された受信バンド切り替え信号に基づき、各チューナから出力されるＦＭ放送またはＡＭ放送を選択し、選択した信号を増幅回路２９に出力する。増幅回路２９で増幅された信号の音響がスピーカ３１から出力される。
【０００３】
制御手段２１ｂにはプリセットチャンネルメモリ２３と、操作手段２５ｂと、表示手段２７ｂとが接続されている。プリセットチャンネルメモリ２３には、プリセットされた放送局を、プリセット番号と受信周波数とを対応付けしてプリセット番号ごとに定められた記憶領域に格納し、操作手段２５ｂは、ラジオ受信機３０の操作者がプリセット番号に対応付けされた選局ボタン（以下、チャンネルキーとも記す）を用いて選局を行ったり、その他の操作を行ったりするための操作手段であり、受信バンドの切替も操作手段２５ｂを介して行われる。表示手段２７ｂは、ラジオ受信機３０でプリセットされているプリセット番号、放送局名、放送周波数等を表示するとともに、現在選択されている受信バンドを表示する。
【０００４】
受信に先立って受信可能な放送局を自動的にプリセットするオートプリセット機能を有するＡＭ／ＦＭラジオ受信機では、通常複数の受信バンドの内の周波数の高い方の受信バンドであるＦＭ放送帯についてまずプリセットを行い、引き続き周波数の低い方の受信バンドであるＡＭ放送帯についてプリセットを行うようになっている。これらはオートプリセット機能と呼ばれ、受信周波数を所定の方向に掃引（スキャン）し受信可能な放送を検索するサーチ手段を用いて行われる。このサーチ手段は制御手段２１ｂとＦＭチューナ１３（又はＡＭチューナ１７）とにより構成されるが、周知の技術であるから詳細な説明は省略する。
【０００５】
図７は一般的なラジオ受信機におけるプリセット結果を例示する図である。オートプリセットの動作では、サーチ手段における周波数掃引器によりＦＭバンドの下限周波数から上限周波数へ向けて掃引（スキャン）が行われ、次にＡＭバンドの下限周波数から上限周波数へ向けて掃引が行われる。そして受信可能な放送局が検出されると、検出された放送局順にその周波数がプリセット番号１から番号順に最大プリセット番号までプリセットされる。
【０００６】
同図に示す例では、ＦＭ放送のプリセット番号１から６にはＦＭ放送の６チャンネル分のデータが格納され、ＡＭ放送のプリセット番号１から６にはＡＭ放送の６チャンネル分のデータが格納される。ＦＭ放送のオートプリセットでは、受信可能な放送としてＦＭ−Ａ局、ＦＭ−Ｂ局、ＦＭ−Ｃ局、ＦＭ−Ｄ局、ＦＭ−Ｅ局、ＦＭ−Ｆ局がこの順に検出され、この順にプリセット番号が付される。ＡＭ放送のオートプリセットでも同様に、受信可能な放送としてＡＭ−Ａ局、ＡＭ−Ｂ局、ＡＭ−Ｃ局、ＡＭ−Ｄ局、ＡＭ−Ｅ局、ＡＭ−Ｆ局がこの順に検出され、この順にプリセット番号が付される。
【０００７】
図６は従来例ラジオ受信機に係るオートプリセットの手順を示すフローチャートである。ここではＦＭバンドのオートプリセットを行うものとして説明する。図６において、ステップＳ６１ではオートプリセットキー（ＡＰキー）が押されたか否かを判別し、押されていればステップＳ６３へ進み、押されていなければこのフローを終了する。ステップＳ６３では、現在のプリセット番号、現在の受信バンドをメモリに一時退避させステップＳ６５へ進む。ステップＳ６５ではプリセット番号（ＰＳＮ）を０にセットしてステップＳ６７へ進む。
【０００８】
ステップＳ６７では受信周波数をＦＭバンドの下限周波数にセットしステップＳ６９へ進む。ステップＳ６９では、チューナのＰＬＬの周波数がロックするまで待ちステップＳ７１へ進む。ステップＳ７１では現在の周波数における電界強度が予め定めた所定値以上であるか否かに応じて、現在の周波数で受信可能か否かを判別し、受信ＯＫであればステップＳ７２へ進み、受信不可であればステップＳ７７へ進む。ステップＳ７２では、プリセット番号（ＰＳＮ）カウンタ値を１だけインクリメントし、ステップＳ７３ではカウンタ値に対応するプリセットチャンネルメモリエリア（プリセットチャンネルメモリの記憶領域）に受信した周波数を格納し、ステップＳ７５へ進む。
【０００９】
ステップＳ７５では、プリセット番号（ＰＳＮ）カウンタ値が用意されているＰＳＮのうちの最大値（例えば６）か否かを判別し、最大値であればこのフローを終了し、最大値でなければステップＳ７７へ進む。ステップＳ７７では受信周波数を１ステップ（例えば１００ｋＨｚ）高くしてステップＳ７９へ進む。ステップＳ７９では現在の周波数はＦＭバンドの上限値であるか否かを判別し、上限値であればこのフローを終了し、上限値でなければステップＳ６９へ進み、サーチ動作を継続する。
【００１０】
【発明が解決しようとする課題】
従来のラジオ受信機では前記したように、周波数の低い方から高い方へオートスキャンし、検出された受信可能な放送局の周波数は、検出された順にプリセット番号１からプリセット番号６までに夫々セットされ、その周波数がプリセット番号、即ちチャンネル番号と対応付けしてメモリに格納される。このため、最大プリセット番号（この例では６）にセットされた周波数よりも、さらに高い周波数に受信したい放送局があることがわかっていても、その放送局をプリセットすることが出来ないと言う問題があった。また、プリセット番号は受信できた順に与えられるため、オートプリセットが終了した後、操作者には受信したい放送局のプリセット番号が容易に分からないと言う問題があった。
さらに、プリセットされた周波数の中には、殆ど同じ放送がされるチャンネルが二重にプリセットされたり、特定の周波数のノイズを放送波と誤認してプリセットしてしまうという問題もあった。
【００１１】
上記した問題を回避するには、オートプリセット機能を利用せずに、手動操作によりプリセットを行う。手動操作によるプリセットでは、受信したい放送局を手動で検索し、その放送局を受信できたときに、セットしたい番号のチャンネルキーを一定時間押し続けて行うが、この方法では検索操作に要する手動操作の数が多く、プリセットに長時間を要すると言う問題があった。
【００１２】
本発明は上記問題点に鑑みてなされたものであり、その目的は、手動操作が少なく、且つ受信したい放送局を容易にプリセットすることが可能なラジオ受信機を提供することである。
【００１３】
【課題を解決するための手段】
本発明のラジオ受信機及びその受信周波数プリセット方法は前記課題を解決するためになされたものであり、第１の発明は、周波数を掃引して受信可能な放送の周波数を検索するサーチ手段と、該サーチ手段で検出した当該受信バンドにおける受信可能な周波数の一覧を格納する受信可能チャンネルメモリと、該受信可能チャンネルメモリに格納された周波数の一覧を表示する表示手段と、プリセットされた受信周波数を格納するプリセットチャンネルメモリと、チャンネルキーを有する操作手段とを備え、前記表示手段で表示した受信可能周波数の一覧の中から前記操作手段を介して選択された各周波数を、前記チャンネルキーと対応付けして前記プリセットチャンネルメモリに格納するようにしたラジオ受信機である。
【００１４】
第２の発明は、第１の発明のラジオ受信機において、前記プリセットチャンネルメモリに格納する各受信周波数は、前記表示手段で表示した周波数の中から前記操作手段を介して選択された１つの周波数であり、該選択された１つの周波数を前記チャンネルキーによって指定された１つのチャンネル番号と対応付けして前記プリセットチャンネルメモリに格納するようにしたラジオ受信機である。
【００１５】
第３の発明は、第１の発明のラジオ受信機において、前記プリセットチャンネルメモリに格納する周波数は、前記表示手段で表示した受信可能周波数の中から前記操作手段を介して選択された１つ又は複数の周波数であり、該選択された各周波数に対して、周波数の順にチャンネル番号を対応付けするようにしたラジオ受信機である。
【００１６】
第４の発明は、第１又は第２の発明のラジオ受信機において、前記表示手段は、当該受信バンドにおける受信可能な周波数の一覧を表示する場合に、プリセットチャンネルとしてプリセット済みの周波数とプリセットされていない周波数とを、識別可能に表示するようにしたラジオ受信機である。
【００１７】
第５の発明は、第１の発明乃至第４の発明のいずれかのラジオ受信機において、  前記表示手段は、当該受信バンドにおける受信可能な周波数の一覧を表示する場合に、各周波数と併せて各周波数における電界強度または電界強度の強弱を表すランクを表示するようにしたラジオ受信機である。
【００１８】
第６の発明は、周波数を掃引して受信可能な放送の周波数を検索するサーチステップと、当該受信バンドにおいて検出した受信可能な周波数の全てを表示する表示ステップと、前記表示ステップで表示した周波数の中のいずれが選択されたかを判別する選択周波数判別ステップと、前記選択周波数判別ステップで判別された周波数をチャンネルキーに対応付けする対応付けステップと、前記対応付けステップで対応付けした周波数とチャンネルキーとをプリセットチャンネルメモリに格納するステップとからなるラジオ受信機の受信チャンネル方法である。
【００１９】
第７の発明は、第６の発明のラジオ受信機の受信チャンネル方法において、前記表示ステップで表示した周波数の中の１つの周波数と、前記チャンネルキーによって指定された１つのチャンネル番号とを対応付けし、一つのプリセットチャンネルとして前記プリセットチャンネルメモリに格納するようにしたラジオ受信機の受信チャンネル方法である。
【００２０】
第８の発明は、第６の発明のラジオ受信機の受信チャンネル方法において、前記表示ステップで表示した周波数の中の選択された複数の周波数に対して、周波数の順にチャンネル番号を対応付けするステップを有し、前記対応付けした複数の周波数とチャンネル番号とを前記プリセットチャンネルメモリに格納するようにしたラジオ受信機の受信チャンネル方法である。
【００２１】
第９の発明は、第６又は第７の発明のラジオ受信機の受信チャンネル方法において、前記表示ステップでは、当該受信バンドにおける受信可能な周波数の一覧を表示する場合に、プリセットチャンネルとしてプリセット済みの周波数を反転表示又は強調表示又は色違い表示にするよにしたラジオ受信機の受信チャンネル方法である。
【００２２】
第１０の発明は、第６の発明乃至第９の発明のいずれかのラジオ受信機の受信チャンネル方法において、前記表示ステップでは、当該受信バンドにおける受信可能な周波数の一覧を表示する場合に、各周波数における電界強度の順に表示するようにしたラジオ受信機の受信チャンネル方法である。
【００２３】
【発明の実施の形態】
本発明のラジオ受信機は、受信可能な放送局をプリセットする機能を備えたラジオ受信機において、周波数を掃引（スキャン）して受信可能な放送局を検索し、当該受信バンドで受信可能な放送局の周波数の一覧を受信可能チャンネルメモリに格納する。そして、前記受信可能チャンネルメモリに格納された周波数の一覧を表示手段で表示し、該表示された全周波数の中からプリセットしたい周波数を操作者が選択し、該選択した周波数に対応付けするチャンネルキーの番号も操作者が指定する。こうして、表示された全周波数のうちのどの周波数をどのチャンネルキーに割り当てるかを、操作者が指定して決め、その周波数をプリセットチャンネルメモリにおける該当するメモリ領域にプリセットチャンネルとして格納するようにしたラジオ受信機である。
【００２４】
以下、本発明の実施例について図と共に説明する。図１は本発明ラジオ受信機の一例を示すブロック図である。図１に示す本発明ラジオ受信機１０と図５に示す従来例ラジオ受信機３０とで同一機能、同一作用の要素には同一の符号を付し、その説明を省略する。図１のラジオ受信機１０と図５のラジオ受信機３０との主たる違いは、図１のラジオ受信機１０では、制御手段２１、受信可能チャンネルメモリ２２、操作手段２５、表示手段２７、キー判別手段３３が設けられている点である。ラジオ受信機１０もラジオ受信機３０と同様に周波数掃引器を備えたサーチ手段を有するが、その図示は省略されている。
【００２５】
制御手段２１はマイクロプロセッサ（ＭＰＵ）とメモリとを有してラジオ受信機１０全体を制御する。受信可能チャンネルメモリ２２はサーチ手段により検出された受信可能な放送局の周波数の一覧を格納するメモリである。該メモリに格納された周波数のリストは、当該受信バンドでのサーチ動作が終了したとき又は受信可能な放送局の周波数が検出されたときに、表示手段２７で表示する。キー判別手段３３は、操作者により押されたキーを判別する手段である。また、操作手段２５が備えるチャンネルキー３５は、受信可能な放送周波数の一覧から一つの周波数を操作者が選択し、該選択した周波数をどのプリセット番号でセットするかを指定するためのキーであり、各チャンネルキーにはプリセット番号が表示されている。チャンネルキー３５は、受信時に受信局を選択するための選局キーとしても使用される。
なお、受信可能チャンネルメモリ２２とプリセットチャンネルメモリ２３とを単一のメモリにより構成しても良く、或いは制御手段２１のメモリの一部を用いて構成することもできる。
【００２６】
図３は表示手段２７の一部と操作手段２５とが配置されたラジオ受信機１０の正面パネルの一例を示す。
図３において、正面パネル２０には、表示画面２７Ｐや各種操作キーからなる操作手段２５が配置されている。表示画面２７Ｐは表示手段２７の表示画面であり液晶ディスプレイなどで構成される。チャンネルキー３５はプリセット番号を示すキーであり、１から６までが用意されている。ＰＳ４２は電源キーであり、Ｖｏｌ４３は音量調整用のボリュームであり、ＦＭ／ＡＭ４４は受信バンドをＦＭとＡＭとで切替えるためのキーである。
【００２７】
４５はＵｐ／Ｄｏｗｎキーであり、プリセットされていない放送局を手動で選局するときに、受信周波数を所定の周波数幅で増加又は減少させるためのキーである。また、ＡＰ４６は操作者がオートプリセットの開始及び終了を指示するためのＡＰキー、Ｃａｎｃｅｌ４７は、押釦操作を取り消すキーである。４８は表示された受信可能な周波数の一覧からプリセットしたい周波数を操作者が選択するための周波数選択キーであり、操作者は、周波数選択キー４８によりポインタを表示画面２７Ｐ上で移動して、表示画面２７Ｐに表示された周波数の一覧から一つの周波数を選択する。
【００２８】
図２は本発明ラジオ受信機に係るオートプリセット方法の第１実施例を示すフローチャートである。ここではＦＭバンドでのオートプリセットを行うものとして説明する。図２において、ステップＳ１１では、例えばサーチ動作を行っている受信バンドや現在の受信周波数を表示するなど、その時々で適当な表示を行ってステップＳ１３へ進み、ステップＳ１３では、操作者が押したキーがどのキーであるかを判別してステップＳ１５へ進む。ステップＳ１５ではオートプリセットモード（以下、ＡＰモードとも記す。）でないときにＡＰキーが押されたか否かを判別し、押されていればステップＳ１７へ進み、押されていなければステップＳ１９へ進む。
【００２９】
ステップＳ１７では受信周波数をＦＭバンドの下限周波数にセットし、ＡＰモードでサーチ動作即ち受信可能な周波数の検索動作を開始し、ステップＳ１９へ進む。ステップＳ１９では現在のモードがオートプリセットモード（ＡＰモード）か否かを判別し、ＡＰモードであればステップＳ２１へ進み、ＡＰモードでなければステップＳ１１へ進む。ステップＳ２１では所定値以上の電界強度で受信できたか否かを判別し、受信できた場合はステップＳ２３へ進み、受信不可であればステップＳ２５へ進む。
【００３０】
ステップＳ２３では、受信周波数を受信可能チャンネルメモリ２２に格納してステップＳ２５へ進む。ステップＳ２５では、受信周波数を所定周波数、例えば１００ｋＨｚ高い周波数に変更してステップＳ２７へ進む。ステップＳ２７では現在の周波数が当該受信バンドの上限周波数以上であるか否かを判別し、肯定であればステップＳ２９へ進み、否定であればステップＳ１１へ進む。ステップＳ２９ではサーチ動作を終了して、ステップＳ３１へ進む。
【００３１】
ステップＳ３１では受信可能チャンネルメモリ２２から受信可能周波数のリストを読み出し、表示手段２７で表示してステップＳ３３へ進む。ステップＳ３３は、選択されている周波数がどの周波数であるかを判別する選択周波数判別ステップを含み、表示画面２７Ｐ上で一つの周波数が選択されているか否かを判別し、選択されているのを待ってステップＳ３５へ進む。ステップＳ３５は、選択された周波数がプリセットチャンネルの周波数として既に登録されているか否かを判別して、既登録であればステップＳテップＳ３３へ戻り、未登録であればステップＳ３７へ進む。ステップＳ３５からステップＳ３３へ戻る場合は、選択された周波数が既にプリセット済みであることを、表示画面２７Ｐに表示するか、スピーカ３１により音声で表示して警告し、操作者に周波数の再選択を促す。ステップＳ３７は、押されたチャンネルキーがどの番号のキーであるかを判別する選択番号判別ステップを含み、チャンネル（ＣＨＬ）キーが押されるのを待ってステップＳ３９へ進む。
【００３２】
ステップＳ３９では、押されたチャンネルキー（ＣＨＬキー）に対応するプリセット番号（ＰＳＮ）が既にプリセット済みであるか否かを判別し、プリセット済みであればステップＳ３７へ進み、まだプリセットされていなければステップＳ４１へ進む。ステップＳ３９からステップＳ３７へ戻る場合は、押されたＣＨＬキーの番号が既にプリセット済みであることを、表示画面２７Ｐに表示するか、スピーカ３１により音声で表示して警告し、操作者にプリセット番号の再設定を促す。
【００３３】
ステップＳ４１では、選択されている周波数と、押されたＣＨＬキーが示すプリセット番号とを対応付けしてプリセットチャンネルメモリ２３に格納してステップＳ４３へ進む。ステップＳ４３では、ステップＳ４１で格納した登録済み周波数の表示を明暗反転させるか、強調表示するか、表示色を変更するかして、未登録の周波数と容易に識別可能になるように表示する。ステップＳ４５では、全部のチャンネルキー番号がセット済みであるか否かを判別し、セット済みであればステップＳ４７へ進み、未セットの番号があればステップＳ３３へ進む。ステップＳ４７ではＡＰモードを解除してステップＳ１１へ進む。
なお、オートプリセットモードで動作中に、操作者がＡＰキー４６を押したときは、割り込み処理でＡＰモードを解除し、ステップＳ１１へ戻る。
【００３４】
また、ステップＳ３１からステップＳ４７では一般的な表示処理とキー処理についての図示が省略されているが、表示手段２７では、図示されていない様々な表示処理をその時々で行うことができる。表示する内容はその時々で異なるが、例えば、操作者が操作キーを押し易くするための情報を表示する。例えば、オートプリセットモード（ＡＰモード）で動作中には、表示画面２７Ｐ上に表示された受信可能周波数の一覧から操作者が現在選択している一つの周波数を点滅させて表示させたり、６つのチャンネルキー（ＣＨＬキー）（またはＣＨＬキーが示すプリセット番号）の一覧を表示し、セット済みの番号と、未セットの番号とで色を区別して表示したり、或いは未セットの番号の輝度を高めて強調表示したり、点滅させて表示したりすることにより、操作者は押すことのできるキーをより短時間で見分けたり、キーを押すことがより短時間でできるようになる。
【００３５】
また、プリセットされていないＣＨＬキー番号（プリセット番号）だけを一覧形式で表示するようにして、プリセットする番号をより速やかに選択できるようにしても良い。さらに、前記した強調表示を表示画面２７Ｐ上で行うのではなく、チャンネルキーのうち、プリセットされていないプリセット番号に対応するチャンネルキーそのものを点灯又は点滅させるようにして行うこともできる。
さらに、表示手段２７で表示する各周波数と併せて、各周波数における電界強度または電界強度の強弱を表すランクなどを表示すれば、操作者は電界強度が特に大きい放送だけをプリセットするように周波数を選択することも容易である。また、サーチステップで検出された、当該受信バンドでの全受信可能周波数を表示する場合に、その周波数における電界強度の大きい順に表示をすることにより、操作者は電界強度が大きい放送の周波数を選択してプリセットすることが容易に出来るようになる。
【００３６】
図４は本発明ラジオ受信機に係るチャンネルプリセットの結果を例示する図である。前記したようにオートプリセットの動作は、サーチ手段における周波数掃引器によりＦＭバンドの下限周波数から上限周波数へ向けて掃引（スキャン）が行われ、ＦＭバンドでのプリセットが終了した後で、ＡＭバンドの下限周波数から上限周波数へ向けて掃引が行われる。図４に示す例では、サーチ動作により受信可能な周波数として検出された順は、図７に示した通りであるが、操作者はプリセットする周波数をＦＭ−Ｅ、ＦＭ−Ｃ、ＦＭ−Ｄ、ＦＭ−Ａ、ＦＭ−Ｇ、ＦＭ−Ｈの順に選択し、これらに対してチャンネル番号６、２、１、３、４、５を夫々与えている。例えば、受信可能な放送局として４番目に選択されたＦＭ−Ａ局がプリセット番号１ではなく、操作者が選択したプリセット番号（ＰＳＮ）３にプリセットされている。
【００３７】
受信可能な放送局としてＦＭ−Ａ曲の次に検出されたＦＭ−Ｂ局はプリセットされず、最初に選択されたＦＭ−Ｅ局がプリセット番号（ＰＳＮ）６にプリセットされている。プリセット番号４、５には夫々ＦＭ−Ｇ局、ＦＭ−Ｈ局がプリセットされている。ＦＭ−Ｇ局、ＦＭ−Ｈ局の周波数は図７に示すＦＭ−Ｆ局の周波数より高く、従来例のラジオ受信機ではプリセット出来なかった放送局であるが、本発明によればＦＭ−Ｇ局、ＦＭ−Ｈ局をプリセットすることも可能となる。
【００３８】
なお、図２に示すフローチャートでは、操作者が好みのチャンネルキーの番号でプリセットできるようにするため、プリセットするチャンネルキーの番号を周波数ごとに操作者が指定するようにしていたが、操作者が行う操作を減らすために、チャンネルキーの番号を自動的に付すようにすることも出来、この場合も、本発明の趣旨を逸脱するものでないことは勿論である。
【００３９】
この場合は、操作者は、表示手段２７で表示された受信可能周波数の一覧から複数の周波数を最大６まで選択し、次にチャンネルキーの１を押す。チャンネルキー１が押されたことが検出された後、操作者によって選択された複数の周波数に対して、最も周波数の低い放送にチャンネル番号１を割当て、最も周波数の高い放送にチャンンル番号６を割当てるというように、受信周波数が低い方から順にプリセット番号を与える。
【００４０】
図８は本発明ラジオ受信機に係るオートプリセット方法の第２実施例を示すフローチャートである。
図８に示すフローチャートにおいて、ステップＳ１１からステップＳ３１までは図２に示すフローチャートの場合と同じであるから、その説明を省略する。図８に示すフローチャートにおいて、ステップＳ３１からステップＳ５１へ進むと、ステップＳ５１では、表示画面２７Ｐ上で１又は複数の周波数が選択されているか否かを判別し、選択されるのを待ってステップＳ５３へ進む。ステップＳ５３では、選択されている周波数を反転表示してステップＳ５５へ進む。
【００４１】
ステップＳ５５では番号が「１」のＣＨＬキーが押されたか否かを判別し、肯定であればステップＳ５７へ進み、否定であればステップＳ５１へ進む。ステップＳ５７では、選択された複数の周波数に対して、周波数順にチャンネルキー番号を与える。即ち最も低い周波数にチャンネル番号１を対応付けし、最も高い周波数にチャンネル番号６を対応付けする。ステップＳ５９では、対応付けした周波数とチャンネルキー番号とをプリセットチャンネルメモリ２３に格納してステップＳ６１へ進む。ステップＳ６１ではＡＰモードを解除してステップＳ１１へ進む。
【００４２】
以上、詳細に説明したように、本発明を適用した実施の形態によれば、周波数を掃引（スキャン）して受信可能な放送局を検索し、当該受信バンドで受信可能な放送局の周波数の一覧を受信可能チャンネルメモリに格納する。そして、受信可能チャンネルメモリに格納された周波数の一覧を表示手段で表示する。ラジオ受信機の操作者は、前記表示された全周波数の中からプリセットしたい一つの周波数を選択し、且つ該選択した周波数に対応付けするチャンネルキーの番号を指定する。
【００４３】
このように、表示された受信可能な全周波数のうちのどの周波数をどのチャンネルキーに割り当てるかを、操作者が指定して決め、プリセットチャンネルメモリに格納する。したがって、操作者がプリセットチャンネルとして登録したい周波数を希望するチャンネル番号でプリセットすることが出来る。即ち、チャンネルキーが不足してプリセットしたい放送局をプリセット出来ない、という問題を解消でき、プリセット済みのプリセット番号とプリセットされている放送局との対応関係を操作者は容易に知ることができる。
【００４４】
また、プリセットする周波数を表示画面上で操作者が選択する場合に、プリセットする全ての周波数を最初に選択するようにすれば、前記選択された各周波数に自動的にチャンネル番号を付すことが出来、チャンネルプリセットにおける手動操作数を少なく出来る。さらに、選択可能な周波数を強調表示したり、プリセット済みの周波数を強調表示したりすることにより、操作者による周波数選操作を容易にすることができる。
なお、本発明に係るオートプリセット方法は、ラジオ受信機を含むオーディオ装置等へも適用可能であることは言うまでもない。
【図面の簡単な説明】
【図１】本発明ラジオ受信機の一例を示すブロック図である。
【図２】本発明ラジオ受信機に係るチャンネル方法の第１実施例を示すフローチャートである。
【図３】表示手段の一部と操作手段が配置された本発明ラジオ受信機の正面パネルの一例を示す図である。
【図４】本発明ラジオ受信機に係るチャンネルの結果を例示する図である。
【図５】従来例ラジオ受信機の一例を示すブロック図である。
【図６】従来例ラジオ受信機に係るオートプリセットの手順を示すフローチャートである。
【図７】従来例ラジオ受信機に係るチャンネルの結果を例示する図である。
【図８】本発明ラジオ受信機に係るオートプリセット方法の第２実施例を示すフローチャートである。
【符号の説明】
１３    ＦＭチューナ
１７    ＡＭチューナ
１９    受信バンド切替手段
２１    制御手段
２２    受信可能チャンネルメモリ
２３    プリセットチャンネルメモリ
２５    操作手段
２７    表示手段
２９    増幅回路
３１    スピーカ
３３    キー判別手段
３５    チャンネルキー
４８    操作手段における周波数選択キー
【図１】
0003830087.tif 000002
【図２】
0003830087.tif 000003
【図３】
0003830087.tif 000004
【図４】
0003830087.tif 000005
【図５】
0003830087.tif 000006
【図６】
0003830087.tif 000007
【図７】
0003830087.tif 000008
【図８】
0003830087.tif 000009